(57)【要約】  ハイブリッド駆動装置は、変速機構の変速制御中に、変速機構に作用させる入力トルク変更量（ｄｅＴｒ）及び入力トルクの変更時機（ｔ１５）を演算し、モータによって入力トルク変更量（ｄｅＴｒ）の変更が可能である場合には、モータトルクが入力トルク変更量（ｄｅＴｒ）で変更されるようにモータを制御し、モータによって入力トルク変更量（ｄｅＴｒ）の変更が不能である場合に、モータによって入力トルク変更量（ｄｅＴｒ）の変更が可能である場合にモータの駆動力を変更する入力トルク変更時機（ｔ１５）よりも前のエンジントルク変更時機（ｔ１４）にエンジントルク信号（Ｔｅｓｉｇ１）を出力する。
2020203706.tif 000002
【特許請求の範囲】
【請求項１】
エンジンに駆動連結される入力部材と、車輪に駆動連結される出力部材と、を有し、前記入力部材と前記出力部材との変速比を変更する変速制御を実行する変速機構と、
前記変速機構に駆動連結される回転電機と、
前記変速機構の変速制御中に、前記変速機構に作用させる駆動力を変更する変更時機及び変更量を演算し、前記回転電機によって前記変更量の駆動力の変更が可能である場合に、前記回転電機の駆動力が前記変更量で変更されるように前記回転電機を制御し、かつ前記回転電機によって前記変更量の駆動力の変更が不能である場合に、前記エンジンに駆動力を変更するエンジン指令信号を出力する制御部と、を備え、
前記制御部は、前記回転電機によって前記変更量の駆動力の変更が不能である場合、前記回転電機によって前記変更量の駆動力の変更が可能である場合に前記回転電機の駆動力を変更する変更時機よりも前の変更前時機に前記エンジンに前記エンジン指令信号を出力する、
ハイブリッド駆動装置。
【請求項２】
前記制御部は、
前記回転電機によって前記変更量の駆動力の変更が可能である場合に、前記回転電機の駆動力が前記変更量で変更されるように、前記変更時機に前記回転電機に駆動力を変更する回転電機指令信号を出力し、
前記回転電機によって前記変更量の駆動力の変更が不能である場合、前記回転電機指令信号を出力する前記変更時機よりも前の前記変更前時機に前記エンジンに前記エンジン指令信号を出力する、
請求項１に記載のハイブリッド駆動装置。
【請求項３】
前記制御部は、第１制御部であり、
前記回転電機指令信号は、第１回転電機指令信号であり、
前記エンジン指令信号は、第１エンジン指令信号であり、
前記第１制御部は、前記回転電機の駆動を制御する回転電機駆動信号を出力する第２制御部に第２回転電機指令信号を出力し、かつ前記エンジンの駆動を制御するエンジン駆動信号を出力する第３制御部に第２エンジン指令信号を出力する第４制御部に対して、前記第１回転電機指令信号と前記第１エンジン指令信号とを出力可能であり、
前記回転電機によって前記変更量の駆動力の変更が不能である場合、前記回転電機によって前記変更量の駆動力の変更が可能である場合に前記第２制御部から前記回転電機に駆動力を変更する回転電機駆動信号が出力される出力時機よりも前の出力前時機に前記第３制御部から前記エンジンに駆動力を変更するエンジン駆動信号が出力される、
請求項２に記載のハイブリッド駆動装置。
【請求項４】
前記変更前時機は、前記回転電機によって前記変更量の駆動力の変更が可能である場合に前記回転電機の駆動力を変更する変更時機よりも、前記エンジンが駆動力の変更に必要な時間の分、前である、
請求項１ないし３のいずれか１項に記載のハイブリッド駆動装置。
【請求項５】
前記制御部は、前記変速機構の変速制御中に、前記回転電機によって前記変更量の駆動力の変更が可能であるか否かを随時演算し、前記変更前時機に、前記回転電機によって前記変更量の駆動力の変更が不能であることを判断する、
請求項１ないし４のいずれか１項に記載のハイブリッド駆動装置。
【請求項６】
前記制御部は、前記エンジンが駆動力の変更を行う場合の種類を判断し、前記種類によって前記変更前時機を異ならせる、
請求項１ないし５のいずれか１項に記載のハイブリッド駆動装置。
【請求項７】
前記変速機構は、歯車機構と、前記歯車機構の伝達経路を変更する複数の摩擦係合要素と、を有し、前記複数の摩擦係合要素のうちの少なくとも２つを掴み換えることで前記変速制御を実行し、
前記変更時機は、前記変速制御における回転変化が生じるイナーシャ相の開始時であり、
前記変更前時機は、前記イナーシャ相の開始前である、
請求項１ないし６のいずれか１項に記載のハイブリッド駆動装置。
【発明の詳細な説明】
【技術分野】
【０００１】
この技術は、変速機構の変速制御中に回転電機とエンジンとの少なくとも一方の駆動力を変更するハイブリッド駆動装置に関する。
【背景技術】
【０００２】
近年、エンジンと回転電機（モータ）とを駆動源として備えると共に、その駆動源の回転を変速する変速機構を備えたハイブリッド駆動装置が提案されている（特許文献１参照）。この特許文献１のハイブリッド駆動装置においては、変速機構で変速を行う際に、変速に伴い発生するイナーシャトルクをモータの回生により吸収し、モータの回生でイナーシャトルクが吸収しきれない場合にエンジンによりトルクリダクションを実行することが提案されている。
【先行技術文献】
【特許文献】
【０００３】
【特許文献１】特開２００３−１８２４０５号公報
【発明の概要】
【発明が解決しようとする課題】
【０００４】
しかしながら、上記ハイブリッド駆動装置にあって、モータにより変速時のイナーシャトルクが吸収しきれない場合、或いはモータがバッテリの残量等の影響によって使用できない場合等で、エンジンによりトルクリダクションやトルクインクリースを行う際には、モータを用いることを前提にしているため、実際にモータのトルク制御が不能となってからエンジンに指令を行うため、エンジントルクの変更が間に合わず、変速中に予定したトルク変更が得られずに、変速の遅延を招いたり、変速フィールに影響を招いたりするという問題があった。【０００５】
そこで、回転電機によって変更量の駆動力の変更が不能である場合にあっても、演算した駆動力の変更時機に変速機構に作用させる駆動力の変更が可能なハイブリッド駆動装置を提供することを目的とするものである。
【課題を解決するための手段】
【０００６】
本ハイブリッド駆動装置は、
エンジンに駆動連結される入力部材と、車輪に駆動連結される出力部材と、を有し、前記入力部材と前記出力部材との変速比を変更する変速制御を実行する変速機構と、
前記変速機構に駆動連結される回転電機と、
前記変速機構の変速制御中に、前記変速機構に作用させる駆動力を変更する変更時機及び変更量を演算し、前記回転電機によって前記変更量の駆動力の変更が可能である場合に、前記回転電機の駆動力が前記変更量で変更されるように前記回転電機を制御し、かつ前記回転電機によって前記変更量の駆動力の変更が不能である場合に、前記エンジンに駆動力を変更するエンジン指令信号を出力する制御部と、を備え、
前記制御部は、前記回転電機によって前記変更量の駆動力の変更が不能である場合、前記回転電機によって前記変更量の駆動力の変更が可能である場合に前記回転電機の駆動力を変更する変更時機よりも前の変更前時機に前記エンジンに前記エンジン指令信号を出力する。【０００７】
これにより、回転電機によって変更量の駆動力の変更が不能である場合、回転電機によって変更量の駆動力の変更が可能である場合に回転電機の駆動力を変更する変更時機よりも前の変更前時機にエンジンにエンジン指令信号を出力するので、エンジンによって演算した駆動力の変更時機に変速機構に作用させる駆動力の変更が可能となり、変速の遅延や変速フィールへの影響を低減することができる。
【図面の簡単な説明】
【０００８】
【図１】本実施の形態に係るハイブリッド駆動装置を示すブロック図。
【図２】本実施の形態に係る変速機構を示すスケルトン図。
【図３】本実施の形態に係る変速機構の係合表。
【図４】本実施の形態に係る変速制御中のトルク変更制御を示すフローチャート。
【図５】本実施の形態に係る変速制御中にエンジンでトルクリダクションを実行した場合を示すタイムチャート。
【図６】本実施の形態に係る変速制御中にモータでトルクリダクションを実行した場合を示すタイムチャート。
【発明を実施するための形態】
【０００９】
以下、本実施の形態を図１乃至図６を用いて説明する。まず、図１に沿って、本実施の形態に係るハイブリッド駆動装置１の概略構成について説明する。
【００１０】
［ハイブリッド駆動装置の構成］
図１に示すように、ハイブリッド駆動装置１は、例えばＦＲ（フロントエンジン・リヤドライブ）タイプの車両に用いて好適であり、駆動源としてのエンジン２に入力軸１Ａが駆動連結されている。また、ハイブリッド駆動装置１は、ケース６の内部に、ステータ３ａ及びロータ３ｂを有する、駆動源としての回転電機（モータ・ジェネレータ）ＭＧと、エンジン２及びモータＭＧと車輪９との間の動力伝達経路上に設けられる変速機構５と、変速機構５を油圧制御する油圧制御装置（Ｖ／Ｂ）４０と、動力伝達経路上のエンジン２とモータ・ジェネレータ（以下、単にモータという）ＭＧとの間に配置され、エンジン２を切離すことが可能なエンジン切離しクラッチとしてのクラッチＫ０と、動力伝達経路上のモータＭＧと変速機構５との間に配置され、エンジン２及びモータＭＧ（つまり駆動源）と変速機構５との動力伝達を接断可能であって、特に車両の発進時に係合される発進クラッチ（発進用摩擦係合要素、駆動伝達クラッチ）ＷＳＣと、第１制御部としてのトランスミッション制御部（以下、「ＴＣＵ」という）３１と、を備えている。
【００１１】
ＴＣＵ３１は、ＣＰＵ３２と、データを一時的に記憶するＲＡＭ３３と、処理プログラムを記憶するＲＯＭ３４と、を備えており、ハイブリッド駆動装置１が搭載されるハイブリッド車両の制御を統括的に実行する第４制御部としてのハイブリッド制御部（以下、「ＨＶ−ＥＣＵ」という）６０に接続されている。また、ＨＶ−ＥＣＵ６０は、モータＭＧの駆動を制御する第２制御部としてのモータ制御部（以下、「ＭＣＵ」という）７０と、エンジン２の駆動を制御する第３制御部としてのエンジン制御部（以下、「ＥＣＵ」という）８０と、に接続されている。
【００１２】
ＴＣＵ３１は、油圧制御装置４０の各ソレノイドバルブへの制御信号、エンジン２を制御するための制御信号（後述のエンジントルク信号を含む）、モータＭＧを制御するための制御信号（後述のモータトルク信号を含む）等、各種の信号を出力ポートから出力するようになっている。また、ＴＣＵ３１の入力ポートからは、図示を省略した各種センサ等からの検出信号、バッテリ５０からの検出信号を入力するようになっており、例えばモータＭＧの温度、バッテリ５０の電気残量、バッテリ５０の温度等の情報が入力されるように構成されている。
【００１３】
また、上記モータＭＧ及びクラッチＫ０は、回転軸１Ｂによって発進クラッチＷＳＣに駆動連結されており、また、発進クラッチＷＳＣは、変速機構５の入力軸１２に駆動連結されている。なお、図示を省略したが、通常、エンジン２とクラッチＫ０との間には、エンジン２の脈動を吸収しつつその回転を伝達するダンパ装置等が備えられている。
【００１４】
詳しくは後述する変速機構（Ｔ／Ｍ）５は、複数の摩擦係合要素（クラッチやブレーキ）の係合状態に基づき伝達経路を変更し、例えば前進６速段及び後進段を達成し得る変速機構からなる。また、変速機構５の出力軸１５にはプロペラシャフト８が駆動連結されており、プロペラシャフト８に出力された回転は、ディファレンシャル装置等を介して左右の車輪に伝達される。
【００１５】
なお、変速機構５としては、例えば前進３〜５速段や前進７速段以上を達成する有段変速機構であってもよく、また、ベルト式無段変速機、トロイダル式無段変速機などの無段変速機構であってもよく、つまりどのような変速機構であっても構わない。
【００１６】
以上のようなハイブリッド駆動装置１は、エンジン２側から車輪９側に向かって、クラッチＫ０、モータＭＧ、発進クラッチＷＳＣ、変速機構５が順次配置されており、エンジン２及びモータＭＧの両方、或いはエンジン２を駆動させて車両を走行させる場合には、制御部（ＥＣＵ）３１によって油圧制御装置４０を制御してクラッチＫ０及び発進クラッチＷＳＣを係合させ、モータＭＧの駆動力だけで走行するＥＶ走行時には、クラッチＫ０を解放して、エンジン２と車輪９との伝達経路を切り離すようになっている。
【００１７】
［変速機構の詳細］
ついで、変速機構５について、図２及び図３を用いて説明する。変速機構５には、入力部材としての入力軸１２（及び中間軸１３）上において、プラネタリギヤＤＰと、プラネタリギヤユニットＰＵとが備えられている。プラネタリギヤＤＰは、サンギヤＳ１、キャリヤＣＲ１、及びリングギヤＲ１を備えており、該キャリヤＣＲ１に、サンギヤＳ１に噛合するピニオンＰ１及びリングギヤＲ１に噛合するピニオンＰ２を互いに噛合する形で有している所謂ダブルピニオンプラネタリギヤである。
【００１８】
プラネタリギヤＤＰのサンギヤＳ１は、ケース６に対して固定されており、また、キャリヤＣＲ１は、入力軸１２に接続されて、該入力軸１２と一体回転する。更に、リングギヤＲ１は、固定されたサンギヤＳ１と入力回転するキャリヤＣＲ１とにより、入力回転が減速された減速回転になると共に、第１クラッチＣ１及び第３クラッチＣ３に接続されている。
【００１９】
プラネタリギヤユニットＰＵは、４つの回転要素としてサンギヤＳ２、サンギヤＳ３、キャリヤＣＲ２（ＣＲ３）、及びリングギヤＲ３（Ｒ２）を有し、該キャリヤＣＲ２に、サンギヤＳ２及びリングギヤＲ３に噛合するロングピニオンＰ４と、該ロングピニオンＰ４及びサンギヤＳ３に噛合するショートピニオンＰ３とを互いに噛合する形で有している所謂ラビニヨ型プラネタリギヤである。
【００２０】
プラネタリギヤユニットＰＵのサンギヤＳ２は、第１ブレーキＢ１に接続されてケース６に対して固定自在となっていると共に、第３クラッチＣ３に接続されて、第３クラッチＣ３を介してリングギヤＲ１の減速回転が入力自在となっている。また、サンギヤＳ３は、第１クラッチＣ１に接続されており、リングギヤＲ１の減速回転が入力自在となっている。
【００２１】
更に、キャリヤＣＲ２は、中間軸１３を介して入力軸１２の回転が入力される第２クラッチＣ２に接続されて、該第２クラッチＣ２を介して入力回転が入力自在となっており、また、第２ブレーキＢ２に接続されて、第２ブレーキＢ２を介して回転が固定自在となっている。そして、リングギヤＲ３は、車輪９に回転を出力する出力部材としての出力軸１５に接続されている。
【００２２】
以上のように構成された変速機構５は、制御部（ＥＣＵ）３１の電気的な制御信号により、油圧制御装置４０で給排される油圧によって制御され、複数の摩擦係合要素としての第１クラッチＣ１〜第３クラッチＣ３及び第１ブレーキＢ１及び第２ブレーキＢ２が、図３の係合表に示す組み合わせで係脱されることにより、前進１速段（１ｓｔ）〜前進６速段（６ｔｈ）及び後進段（Ｒ）の変速比（ギヤ比）が達成される。なお、第２ブレーキＢ２は、前進１速段及び後進段で係合されると共にＮレンジで係合される。
【００２３】
また、ＴＣＵ３１は、スロットル開度及び車速等に基づき変速を判断し、油圧制御装置４０に備えられた各ソレノイドバルブを制御することで、２つの摩擦係合要素を掴み換えることにより変速制御を実行する。例えば前進２速段から前進３速段に変速する際は、第１ブレーキＢ１を解放しつつ第３クラッチＣ３を係合することで変速が実行される。
【００２４】
この変速において、当初は、解放する側の摩擦係合要素である第１ブレーキＢ１を解放しつつ係合する側の摩擦係合要素である第３クラッチＣ３をスリップ係合させていくことで、トルク伝達の分担を変更するトルク相となり、その後、さらに第３クラッチＣ３が係合されていくことで、実際に変速機構５の入力軸１２が回転変化する変速が進み、その回転変化に伴い入力軸１２に駆動連結された部材の慣性力の変化するイナーシャトルクが発生するイナーシャ相となる。このイナーシャトルクが出力軸１５から車輪９に伝達されるとトルク変動による変速ショックが生じ、変速フィーリングに影響する。また、例えばアクセルが踏圧された状態でアップシフトする所謂パワーオンアップシフトにあっては、エンジン２及びモータＭＧから駆動力が入力軸１２に入力されるにも拘らず、アップシフトによって入力軸１２の回転速度を低下させる必要があり、この状態でエンジン２及びモータＭＧから駆動力が大きく出力されたままであると、入力軸１２の回転速度の低下が遅くなり、変速の遅延を生じる虞がある。そのため、以下に説明するようにモータＭＧとエンジン２との少なくとも一方でトルクを下げるように変更するトルクリダクションを実行するものである。
【００２５】
なお、以下の説明においては、トルクリダクションを実行する場合について説明するが、例えばアクセルが踏圧されずに車速が低下してダウンシフトする所謂パワーオフダウンシフトにあっては、ダウンシフトに伴い入力軸１２の回転速度を上昇するためにトルクを上げるように変更するトルクインクリースを実行することになる。また、例えばアクセルが踏圧された状態でダウンシフトする所謂パワーオンダウンシフトにあっては、入力軸１２がモータＭＧやエンジン２の駆動力によって回転速度が上昇して変速比が変速後の変速比となるタイミングで摩擦係合要素の係合を行うため、イナーシャ相におけるトルクインクリースやトルクリダクションは実行しないが、摩擦係合要素の係合によるトルク変動が急になることを低減する（なます）目的でトルクリダクションを実行することになる。これらのトルクリダクションやトルクインクリースについては、以下に説明する変速制御中のトルク変更制御を適用することが可能である。
【００２６】
［トルク変更制御］
ついで、変速制御中におけるモータＭＧ及びエンジン２のトルク変更制御について図４乃至図６を用いて説明する。なお、トルク変更制御とは、変速機構５の変速制御中にあって、ＴＣＵ３１がアクセル開度等に基づき決定したエンジン２が出力する駆動力とモータＭＧが出力する駆動力とに対し、ＴＣＵ３１がトルクリダクション又はトルクインクリースによって出力トルクを変更する制御のことである。
【００２７】
トルクリダクションについては、モータＭＧで実行する場合には、駆動力の出力を小さくする、或いは回生力を大きくすることにより実行するものであり、エンジン２で実行する場合には、点火タイミングの遅角、スロットル開度信号の変更、気筒の休止、フューエルカット等の種類から選択的に１つを実行するものである。トルクインクリースについては、モータＭＧで実行する場合には、駆動力の出力を大きくする、或いは回生力を小さくすることにより実行するものであり、エンジン２で実行する場合には、スロットル開度信号の変更、燃料噴射量の増大、等の種類から選択的に１つを実行するものである。
【００２８】
なお、図１に示すように、ＴＣＵ３１がモータＭＧの出力トルクを変更する際は、ＨＶ−ＥＣＵに対してモータＭＧのトルクＴｍｇを演算して、第１回転電機指令信号としてモータトルク信号Ｔｍｇｓｉｇ１を出力し、それを受けてＨＶ−ＥＣＵ６０は、ＭＣＵ７０に第２回転電機指令信号としてモータトルク信号Ｔｍｇｓｉｇ２を出力し、ＭＣＵ７０は、モータＭＧに対する回転電機駆動信号としてモータコマンド信号ＭＧｃｄを出力して、モータＭＧが駆動制御される。なお、詳細にはモータコマンド信号は、ＰＷＭ制御を実行するドライブ回路（不図示）に出力され、ドライブ回路でモータコマンド信号に応じたモータトルクが出力されるパルス変調を行ってインバーター回路（不図示）を制御し、バッテリ５０の電力を用いてモータＭＧに電流を印加することになる。
【００２９】
また、ＴＣＵ３１がエンジン２の出力トルクを変更する際は、ＨＶ−ＥＣＵに対してエンジン２のトルクＴｅを演算して、第１エンジン指令信号としてエンジントルク信号Ｔｅｓｉｇ１を出力し、それを受けてＨＶ−ＥＣＵ６０は、ＥＣＵ８０に第２エンジン指令信号としてエンジントルク信号Ｔｅｓｉｇ２を出力し、ＥＣＵ８０は、エンジン２に対するエンジン駆動信号としてエンジンコマンド信号ＥＧｃｄを出力して、エンジン２が駆動制御される。なお、詳細にはエンジンコマンド信号は、エンジン２のインジェクターや点火プラグの制御信号であり、特にトルクリダクションを実行する際は、点火タイミングの遅角、スロットル開度信号の変更、気筒の休止、フューエルカットが行われることになる。
【００３０】
また、以下で説明するモータトルクの変更時機（モータトルク変更時機）とは、主にＴＣＵ３１がモータトルク信号Ｔｍｇｓｉｇ１を出力するタイミング（継続して信号出力している場合は信号の内容を変更し、その変更を出力するタイミング）を指すが、電気的に制御されるため時間的に略同時であり、モータトルク信号Ｔｍｇｓｉｇ２が出力されるタイミング（信号の内容の変更を出力するタイミング）、モータコマンド信号ＭＧｃｄを出力する出力時機としてのタイミング（信号の内容の変更を出力するタイミング）と略同義である。
【００３１】
また同様に、以下で説明するエンジントルク信号を出力する変更前時機（エンジントルク変更時機）は、主にＴＣＵ３１がエンジントルク信号Ｔｅｓｉｇ１を出力するタイミング（継続して信号出力している場合は信号の内容を変更し、その変更を出力するタイミング）を指すが、電気的に制御されるため時間的に略同時であり、エンジントルク信号Ｔｅｓｉｇ２が出力されるタイミング（信号の内容の変更を出力するタイミング）、エンジンコマンド信号ＥＧｃｄを出力する出力前時機としてのタイミング（信号の内容の変更を出力するタイミング）と略同義である。
【００３２】
図４に示すように、ＴＣＵ３１は、変速制御中のトルク変更制御を開始すると、まず、ＴＣＵ３１がスロットル開度及び車速等に応じて不図示の変速マップを参照して、変速判断がなされたか否かを判定し（Ｓ１）、変速判断がなされるまで待機する（Ｓ１のＮＯ）。
【００３３】
ＴＣＵ３１により変速判断がなされると（Ｓ１のＹＥＳ）、まず、変速判断があった変速の状態、即ち、アクセルが踏圧されたパワーオンであるか、アクセルが踏圧されていないパワーオフであるか、アップシフトであるか、ダウンシフトであるか、等の変速の種類と、入力軸１２の回転速度と、エンジン２の出力トルク（駆動力）と、モータＭＧの出力トルク（駆動力）とに応じて、入力軸１２に入力される入力トルクの変更量（以下、「入力トルク変更量」という）としてのトルクリダクション量又はトルクインクリース量を演算すると共に、それらの量のトルク変更を実行開始する変更時機を演算する（Ｓ２）。なお、具体的にトルクリダクション量は、パワーオンアップシフトにあって、変速前後における変速比と現在の入力軸１２の回転速度に基づく入力軸１２の回転速度の変化量に応じて生じるイナーシャトルクに相当する量であり、トルクインクリース量は、パワーオフダウンシフトにあって、変速前後における変速比と現在の入力軸１２の回転速度に基づく入力軸１２の回転速度の変化を生じさせるイナーシャトルクに相当する量である。
【００３４】
次にＴＣＵ３１は、モータＭＧに関する環境状態（以下、「モータ状態」という）を取得し（Ｓ３）、具体的には、現在のモータＭＧの出力（回生）状態、バッテリ５０（図１参照）の残量、バッテリ５０の温度、モータＭＧの温度、不図示のインバーター回路の温度等を取得する。即ち、モータＭＧの出力（回生）状態がモータＭＧの性能限界或いはそれに近い状態では、これ以上出力（回生）することができないためモータＭＧの出力（回生）が行えないことになる。また、バッテリ５０の残量がフル充電状態であればこれ以上充電することができないためモータＭＧの回生が行えないことになり、バッテリ５０の残量が少ない状態であればモータＭＧによる駆動力の出力が行えないことになる。また、バッテリ５０の温度が所定の温度よりも低い低温状態であれば通常通り電力の供給又は充電が行えないので、モータＭＧによる駆動力出力又は回生に制限が生じることになる。また、モータＭＧの温度やインバーター回路の温度が所定の温度よりも高い高温状態であれば、モータＭＧやインバーター回路の保護の観点からモータＭＧによる駆動力出力又は回生に制限が生じることになる。そして、ＴＣＵ３１は、このように取得したモータ状態に基づき、モータＭＧがトルクの変更が可能な量（以下、「モータトルク変更可能量」という）を演算する（Ｓ４）。即ち、モータトルク変更可能量は、モータ状態に応じて随時変化していくことになる。
【００３５】
ついで、ＴＣＵ３１は、ステップＳ４で演算したモータトルク変更可能量がステップＳ２で演算した入力トルク変更量よりも小さいか否かを判定し（Ｓ５）、つまりモータＭＧで演算されたトルクリダクション量やトルクインクリース量を実行できるか否かを判定する。モータトルク変更可能量が入力トルク変更量以上の場合（Ｓ５のＮＯ）、つまりモータＭＧによりトルクリダクション量やトルクインクリース量のトルク変更が可能であるので、上記ステップＳ２で演算された入力トルクの変更時機であるか否か、即ちモータＭＧのトルク（以下、「モータトルク」という）の変更時機であるか否かを判定する（Ｓ６）。なお、モータＭＧのトルク変更は、電気的に行われるために略遅れることがなく、つまり入力トルクの変更時機とモータトルクの変更時機とが略同義である。
【００３６】
ステップＳ６において、未だモータトルクの変更時機でない場合は（Ｓ６のＮＯ）、上記ステップＳ２に戻り、入力トルク変更量及び変更時機の演算、モータ状態の取得、モータトルク変更可能量の演算をやり直す。これにより、例えば変速判断があった後に運転者によりアクセルの踏圧量（アクセル開度）が変化された場合に入力トルク変更量や変更時機が変わることがあるが、このようにステップＳ２に戻って、入力トルク変更量及び変更時機の演算をやり直すことでアクセルの踏圧量の変化に対応することが可能となる。また、変速判断があった後、モータ状態の取得、モータトルク変更可能量の演算をやり直すことで、実際にモータトルク変更時機となるまでに、モータ状態が変化した場合に対応することができる。その後、ＴＣＵ３１は、例えば変速中におけるイナーシャ相となる時機であるモータトルクの変更時機となった場合は（Ｓ６のＹＥＳ）、上記演算した入力トルク変更量でモータトルクが変更するようにＨＶ−ＥＣＵ６０にモータトルク信号Ｔｍｇｓｉｇ１を出力して、モータＭＧによるトルクリダクション又はトルクインクリースを行うモータトルク変更制御を実行する（Ｓ７）。
【００３７】
そして、ＴＣＵ３１により変速の終了が判断されるまで待機し（Ｓ８のＮＯ）、例えば変速比が変速後の変速比になったことを判定し（或いは設定された変速時間がタイムアウトしたことを判定し）、変速の終了が判断されると（Ｓ８のＹＥＳ）、モータトルク制御によって実行していたトルク変更量を徐々に戻し、つまりトルクリダクション又はトルクインクリースを所定の勾配でスイープさせつつ終了する入力トルク復帰制御を実行し（Ｓ９）、以上でモータＭＧによる変速制御中のトルク変更制御を終了する。
【００３８】
一方、ステップＳ５において、ＴＣＵ３１が、モータトルク変更可能量が入力トルク変更量よりも小さくないことを判定し（Ｓ５のＹＥＳ）、つまりモータＭＧで演算されたトルクリダクション量やトルクインクリース量のトルク変更が不能である（実行できない）と判断すると、まず、エンジン２によりトルク変更を行う変更量（以下、「エンジントルク変更量」という）を演算する（Ｓ１０）。このエンジントルク変更量は、上記入力トルク変更量から上記モータトルク変更可能量を減算することで演算され、つまりモータＭＧによるトルク変更を優先しつつエンジン２によるトルク変更を実行するための演算を行う。なお、モータ状態によって、モータＭＧのトルク変更が不能な場合は、エンジン２によるトルク変更だけを行うことになるため、この場合はエンジントルク変更量を入力トルク変更量と同じとなるように演算することになる。
【００３９】
続いて、ＴＣＵ３１は、エンジン２のトルクを入力トルク変更時機より前に変更する変更前時機（以下、「エンジントルク変更時機」という）を演算する（Ｓ１１）。即ち、ＴＣＵ３１は、例えばエンジン２の制御部或いは車両の制御部と通信することで得られるエンジン２の状態に基づき、エンジン２のトルクリダクション又はトルクインクリースを実行する際の種類を決定し、その種類に応じてエンジン２にトルク変更の信号を出力してから実際にエンジントルクが変更されるまでに必要な時間を演算して、その必要な時間の分、イナーシャ相の開始時機（つまりモータＭＧによりトルク変更を行う場合のモータトルク変更時機と同義である）よりも前の変更前時機であるエンジントルク変更時機を演算する。
【００４０】
なお、上述したように、トルクリダクションを実行する際の種類は、点火タイミングの遅角、スロットル開度信号の変更、気筒の休止、フューエルカット等の種類があり、エンジン２の機種にもよるが、例えば点火タイミングの遅角は他の種類よりも比較的に上記必要な時間が短く（所謂レスポンスが早く）、フューエルカット、スロットル開度信号の変更、気筒の休止は上記必要な時間が長くなる。また、トルクインクリースを実行する際の種類は、スロットル開度信号の変更、燃料噴射量の増大があり、エンジン２の機種にもよるが、例えば燃料噴射量の増大は他の種類よりも比較的に上記必要な時間が短く、スロットル開度信号の変更は上記必要な時間が長くなる。
【００４１】
続いて、上記ステップＳ１１で演算されたエンジントルク変更時機であるか否かを判定し（Ｓ１２）、未だエンジントルク変更時機でない場合は（Ｓ１２のＮＯ）、上記ステップＳ２に戻り、入力トルク変更量及び変更時機の演算、モータ状態の取得、モータトルク変更可能量の演算、エンジントルク変更量の演算、エンジントルク変更時機の演算をやり直す。これにより、変速判断があった後、実際にエンジントルク変更時機となるまでに、モータトルク変更可能量が入力トルク変更量よりも小さいか否かを随時演算することになり、モータ状態が変化した場合に対応することができる。その後、ＴＣＵ３１は、エンジントルク変更時機となった場合は（Ｓ１２のＹＥＳ）、ＨＶ−ＥＣＵ６０にエンジントルク信号Ｔｅｓｉｇ１を出力する（Ｓ１３）。
【００４２】
また、ＴＣＵ３１は、ＨＶ−ＥＣＵ６０にエンジントルク信号Ｔｅｓｉｇ１を出力した後、上記ステップＳ１０でエンジントルク変更量を演算した際にモータトルクの変更量があったか否かを判定し（Ｓ１４）、つまりトルクリダクション又はトルクインクリースをエンジン２のトルク変更だけで行うか、エンジン２とモータＭＧとのトルク変更で行うかを判定する。モータトルクの変更量がない場合（Ｓ１４のＮＯ）、つまりエンジン２だけでトルク変更を行う場合は、そのまま変速の終了まで待機し（Ｓ８のＮＯ）、変速の終了が判断されると（Ｓ８のＹＥＳ）、エンジントルク信号Ｔｅｓｉｇ１によるエンジン２のトルク変更によって実行していたトルク変更量を徐々に戻し、つまりトルクリダクション又はトルクインクリースを所定の勾配でスイープさせつつ終了する入力トルク復帰制御を実行し（Ｓ９）、以上でエンジン２による変速制御中のトルク変更制御を終了する。
【００４３】
一方、上記ステップＳ１４において、モータのトルク変更量があると判定された場合（Ｓ１４のＹＥＳ）、つまりエンジン２とモータＭＧとでトルク変更を行う場合は、モータトルクの変更時機となるまで待機し（Ｓ１５のＮＯ）、モータトルクの変更時機となると（Ｓ１５のＹＥＳ）、上記エンジントルク変更量に加えてモータトルクの変更量で上記入力トルク変更量となるようにＨＶ−ＥＣＵ６０にモータトルク信号Ｔｍｇｓｉｇ１を出力して、エンジン２と共働してモータＭＧによるトルクリダクション又はトルクインクリースを行うモータトルク変更制御を実行する（Ｓ１６）。そして、そのまま変速の終了まで待機し（Ｓ８のＮＯ）、変速の終了が判断されると（Ｓ８のＹＥＳ）、エンジン２のトルク変更量とモータＭＧのトルク変更量とを徐々に戻し、つまりトルクリダクション又はトルクインクリースを所定の勾配でスイープさせつつ終了する入力トルク復帰制御を実行し（Ｓ９）、以上でエンジン２とモータＭＧとによる変速制御中のトルク変更制御を終了する。
【００４４】
［モータによるトルクリダクションの走行例］
ついで、トルク変更制御の一例として、前進２速段から前進３速段へのパワーオンアップシフト変速の変速制御中にモータＭＧによってトルクリダクションを実行した場合について図６を用いて説明する。
【００４５】
変速機構５が前進２速段である場合は、第１クラッチＣ１及び第１ブレーキＢ１が係合されており、第３クラッチＣ３が解放されているため、第１ブレーキＢ１の係合圧ＰＢ１が供給されており、第３クラッチＣ３の係合圧ＰＣ３は供給されていない状態である。また、ＨＶ−ＥＣＵ６０へのモータトルク信号Ｔｍｇｓｉｇ１は、アクセル開度に応じた駆動力を出力するためのモータトルクとなるように出力されている。
【００４６】
車両の車速が上がると共に入力軸１２の回転速度Ｎｉｎが上昇し、時点ｔ２１において、ＴＣＵ３１が車速及びスロットル開度に応じて前進３速段へのアップシフト変速を判断する（Ｓ１のＹＥＳ）。すると、上記変速制御中のトルク変更制御において、入力軸１２の回転速度Ｎｉｎに基づきイナーシャ相におけるイナーシャトルクが演算され、トルクリダクション量である入力トルク変更量ｄｅＴｒ及び変更時機（時点ｔ２５）が演算される（Ｓ２）。また、モータ状態が取得され（Ｓ３）、モータトルク変更可能量も演算される（Ｓ４）。この走行例では、モータトルク変更可能量が入力トルク変更量よりも大きいため（Ｓ５のＮＯ）、モータトルクの変更時機まで待機する（Ｓ６のＮＯ）。
【００４７】
一方、時点ｔ２２に変速制御が開始され、第１ブレーキＢ１の係合圧ＰＢ１が下降され、第３クラッチＣ３の係合圧ＰＣ３が油圧サーボのガタ詰めのためにファストフィル指令されて上昇され、時点ｔ２３にファストフィル指令が終了して第３クラッチＣ３の係合圧ＰＣ３が一旦下降される。その後、第１ブレーキＢ１の係合圧ＰＢ１がさらに下降されると共に第３クラッチＣ３の係合圧ＰＣ３が上昇されて、第１ブレーキＢ１が解放されていくと共に第３クラッチＣ３がスリップ係合されて、第１ブレーキＢ１が分担しているトルク伝達が第３クラッチＣ３の分担に移されるトルク相となる。そして、時点ｔ２５において、第３クラッチＣ３の係合圧ＰＣ３が徐々に上昇されていくことで第３クラッチＣ３のスリップ係合におけるスリップ量が減少していき、変速機構５の変速比が変化していくイナーシャ相が開始される。
【００４８】
すると、ＴＣＵ３１は、モータトルク変更時機であると判定し（Ｓ６）、モータトルク信号Ｔｍｇｓｉｇ１でモータトルクを徐々にスープダウンして、上記演算された入力トルク変更量ｄｅＴｒを達成する目標入力トルクＴｉｎｔｒｇになるようにモータトルク変更制御が実行される（Ｓ７）。
【００４９】
その後、実際の変速が進行し、入力軸１２の回転速度Ｎｉｎが前進３速段の変速比に基づく変速後の目標回転速度Ｎｉｎｔｒｇとなったことが不図示の入力軸回転速度センサ等で検出されると、時点ｔ２６に変速の終了が判断され（Ｓ８のＹＥＳ）、第３クラッチＣ３の係合圧ＰＣ３が完全係合圧に上昇され、前進２速段から前進３速段へのアップシフト変速が完了する。すると、目標入力トルクＴｉｎｔｒｇが徐々にスイープアップされ、それに合わせてモータトルク信号Ｔｍｇｓｉｇ１も徐々にスイープアップされる入力トルク復帰制御（Ｓ９）が実行され、以上で変速制御中のトルク変更制御が終了する。
【００５０】
［エンジンによるトルクリダクションの走行例］
続いて、トルク変更制御の一例として、前進２速段から前進３速段へのパワーオンアップシフト変速の変速制御中に、モータＭＧがモータ状態（例えばバッテリ５０がフル充電状態であって回生できない状態）により使用できず、エンジン２によってトルクリダクションを実行した場合について図５を用いて説明する。
【００５１】
同様に、変速機構５が前進２速段である場合は、第１クラッチＣ１及び第１ブレーキＢ１が係合されており、第３クラッチＣ３が解放されているため、第１ブレーキＢ１の係合圧ＰＢ１が供給されており、第３クラッチＣ３の係合圧ＰＣ３は供給されていない状態である。また、ＨＶ−ＥＣＵ６０へのモータトルク信号Ｔｍｇｓｉｇ１は、アクセル開度に応じた駆動力を出力するためのモータトルクとなるように出力されている。
【００５２】
車両の車速が上がると共に入力軸１２の回転速度Ｎｉｎが上昇し、時点ｔ１１において、ＴＣＵ３１が車速及びスロットル開度に応じて前進３速段へのアップシフト変速を判断する（Ｓ１のＹＥＳ）。すると同様に、上記変速制御中のトルク変更制御において、入力軸１２の回転速度Ｎｉｎに基づきイナーシャ相におけるイナーシャトルクが演算され、トルクリダクション量である入力トルク変更量ｄｅＴｒ及び変更時機（時点ｔ１５）が演算される（Ｓ２）。また、モータ状態が取得され（Ｓ３）、モータトルク変更可能量も演算される（Ｓ４）。この走行例では、モータトルク変更可能量は０であり、モータトルク変更可能量が入力トルク変更量よりも小さいため（Ｓ５のＹＥＳ）、エンジントルク変更量が演算され（Ｓ１０）、さらにエンジントルク変更時機が演算され（Ｓ１１）、エンジントルク変更時機まで待機する（Ｓ１２のＮＯ）。
【００５３】
一方、時点ｔ１２に変速制御が開始され、第１ブレーキＢ１の係合圧ＰＢ１が下降され、第３クラッチＣ３の係合圧ＰＣ３がファストフィル指令されて上昇され、時点ｔ１３にファストフィル指令が終了して第３クラッチＣ３の係合圧ＰＣ３が一旦下降される。その後、第１ブレーキＢ１の係合圧ＰＢ１がさらに下降されると共に第３クラッチＣ３の係合圧ＰＣ３が上昇されて、第１ブレーキＢ１が解放されていくと共に第３クラッチＣ３がスリップ係合されて、第１ブレーキＢ１が分担しているトルク伝達が第３クラッチＣ３の分担に移されるトルク相となる。
【００５４】
このトルク相の間の時点ｔ１４において、イナーシャ相の開始時機である時点ｔ１５よりもエンジントルクの変更に必要な時間ＴＡの分だけ前のエンジントルク変更時機となると（Ｓ１２のＹＥＳ）、ＴＣＵ３１がエンジン２に対し、例えばエンジントルク信号Ｔｅｓｉｇ１によって点火タイミングの遅角でエンジントルク変更量を入力トルク変更量ｄｅＴｒとなるように指令出力する（Ｓ１３）。一方、時点ｔ１５において、第３クラッチＣ３の係合圧ＰＣ３が徐々に上昇されていくことで第３クラッチＣ３のスリップ係合におけるスリップ量が減少していき、変速機構５の変速比が変化していくイナーシャ相が開始される。
【００５５】
また、時点ｔ１５においては、上述のように既にエンジントルク信号Ｔｅｓｉｇ１が指令されていたため、実際にエンジン２のトルクがスイープダウンを開始し、上記演算された入力トルク変更量ｄｅＴｒを達成する目標入力トルクＴｉｎｔｒｇに時機を合わせてエンジン２のトルクリダクションが実行される。なお、この走行例ではモータトルク変更量がないので（Ｓ１４のＮＯ）、変速の終了までエンジン２のトルクリダクションが継続されるようにエンジントルク信号Ｔｅｓｉｇ１が出力されているが、イナーシャ相の終了、つまり変速の終了に合わせてエンジン２のトルクリダクションの終了を開始するようにエンジントルク信号Ｔｅｓｉｇ１のスイープアップがエンジン２に指令される。
【００５６】
その後、実際の変速が進行し、入力軸１２の回転速度Ｎｉｎが前進３速段の変速比に基づく変速後の目標回転速度Ｎｉｎｔｒｇとなったことが不図示の入力軸回転速度センサ等で検出されると、時点ｔ１６に変速の終了が判断され（Ｓ８のＹＥＳ）、第３クラッチＣ３の係合圧ＰＣ３が完全係合圧に上昇され、前進２速段から前進３速段へのアップシフト変速が完了する。すると、目標入力トルクＴｉｎｔｒｇが徐々にスイープアップされるが、その前にエンジントルク信号Ｔｅｓｉｇ１がスイープアップするように出力されていることで、実際にエンジン２の出力トルクも徐々にスイープアップされるように入力トルク復帰制御（Ｓ９）が実行され、以上で変速制御中のトルク変更制御が終了する。
【００５７】
このように、エンジン２がトルクの変更に必要な時間ＴＡの分、入力トルク変更時機（つまりモータＭＧによってトルク変更を行う場合のモータトルク変更時機）よりも前のエンジントルク変更時機にＨＶ−ＥＣＵ６０にエンジントルク信号Ｔｅｓｉｇ１を出力することで、イナーシャ相の開始時機である入力トルク変更時機に変速機構５に作用させるエンジントルクの変更が可能となり、変速の遅延や変速フィールへの影響を低減することができる。
【００５８】
［本実施の形態のまとめ］
本ハイブリッド駆動装置（１）は、
エンジン（２）に駆動連結される入力部材（１２）と、車輪（９）に駆動連結される出力部材（１５）と、を有し、前記入力部材（１２）と前記出力部材（１５）との変速比を変更する変速制御を実行する変速機構（５）と、
前記変速機構（５）に駆動連結される回転電機（ＭＧ）と、
前記変速機構（５）の変速制御中に、前記変速機構（５）に作用させる駆動力を変更する変更時機及び変更量を演算し、前記回転電機（ＭＧ）によって前記変更量（ｄｅＴｒ）の駆動力の変更が可能である場合に、前記回転電機（ＭＧ）の駆動力が前記変更量（ｄｅＴｒ）で変更されるように前記回転電機（ＭＧ）を制御し、かつ前記回転電機（ＭＧ）によって前記変更量（ｄｅＴｒ）の駆動力の変更が不能である場合に、前記エンジン（２）に駆動力を変更するエンジン指令信号（Ｔｅｓｉｇ１）を出力する制御部（３１）と、を備え、
前記制御部（３１）は、前記回転電機（ＭＧ）によって前記変更量（ｄｅＴｒ）の駆動力の変更が不能である場合、前記回転電機（ＭＧ）によって前記変更量（ｄｅＴｒ）の駆動力の変更が可能である場合に前記回転電機（ＭＧ）の駆動力を変更する変更時機（ｔ１５）よりも前の変更前時機（ｔ１４）に前記エンジン（２）に前記エンジン指令信号（Ｔｅｓｉｇ１）を出力する。
【００５９】
これにより、モータＭＧによって入力トルク変更量のモータトルクの変更が不能である場合、モータＭＧによって入力トルク変更量の変更が可能である場合にモータＭＧの駆動力を変更する入力トルク変更時機よりも前のエンジントルク変更時機にエンジン２にエンジントルク信号Ｔｅｓｉｇ１を出力するので、エンジン２によって演算した入力トルク変更時機に変速機構５に作用させる入力トルクの変更が可能となり、変速の遅延や変速フィールへの影響を低減することができる。
【００６０】
また、本ハイブリッド駆動装置（１）は、
前記制御部（３１）は、
前記回転電機（ＭＧ）によって前記変更量（ｄｅＴｒ）の駆動力の変更が可能である場合に、前記回転電機（ＭＧ）の駆動力が前記変更量（ｄｅＴｒ）で変更されるように、前記変更時機（ｔ１５）に前記回転電機（ＭＧ）に駆動力を変更する回転電機指令信号（Ｔｍｇｓｉｇ１）を出力し、
前記回転電機（ＭＧ）によって前記変更量（ｄｅＴｒ）の駆動力の変更が不能である場合、前記回転電機指令信号（Ｔｍｇｓｉｇ１）を出力する前記変更時機（ｔ１５）よりも前の前記変更前時機（ｔ１４）に前記エンジン（２）に前記エンジン指令信号（Ｔｅｓｉｇ１）を出力する。
【００６１】
これにより、モータＭＧによって入力トルク変更量のモータトルクの変更が不能である場合、モータＭＧによって入力トルク変更量の変更が可能である場合にモータトルク信号Ｔｍｇｓｉｇ１を出力する入力トルク変更時機よりも前のエンジントルク変更時機にエンジン２にエンジントルク信号Ｔｅｓｉｇ１を出力するので、エンジン２によって演算した入力トルク変更時機に変速機構５に作用させる入力トルクの変更が可能となり、変速の遅延や変速フィールへの影響を低減することができる。
【００６２】
また、本ハイブリッド駆動装置（１）は、
前記制御部は、第１制御部（３１）であり、
前記回転電機指令信号は、第１回転電機指令信号（Ｔｍｇｓｉｇ１）であり、
前記エンジン指令信号は、第１エンジン指令信号（Ｔｅｓｉｇ１）であり、
前記第１制御部（３１）は、前記回転電機（ＭＧ）の駆動を制御する回転電機駆動信号（ＭＧｃｄ）を出力する第２制御部（７０）に第２回転電機指令信号（Ｔｍｇｓｉｇ２）を出力し、かつ前記エンジン（２）の駆動を制御するエンジン駆動信号（ＥＧｃｄ）を出力する第３制御部（８０）に第２エンジン指令信号（Ｔｅｓｉｇ２）を出力する第４制御部（６０）に対して、前記第１回転電機指令信号（Ｔｍｇｓｉｇ１）と前記第１エンジン指令信号（Ｔｅｓｉｇ１）とを出力可能であり、
前記回転電機（ＭＧ）によって前記変更量（ｄｅＴｒ）の駆動力の変更が不能である場合、前記回転電機（ＭＧ）によって前記変更量（ｄｅＴｒ）の駆動力の変更が可能である場合に前記第２制御部（７０）から前記回転電機（ＭＧ）に駆動力を変更する回転電機駆動信号（ＭＧｃｄ）が出力される出力時機よりも前の出力前時機に前記第３制御部（８０）から前記エンジン（２）に駆動力を変更するエンジン駆動信号（ＥＧｃｄ）が出力される。
【００６３】
これにより、モータＭＧによって入力トルク変更量のモータトルクの変更が不能である場合、モータＭＧによって入力トルク変更量の変更が可能である場合にモータ制御部７０からモータコマンド信号ＭＧｃｄが出力されるモータコマンド出力時機よりも前のエンジンコマンド出力時機にエンジン２にエンジンコマンド信号ＥＧｃｄを出力するので、エンジン２によって演算した入力トルク変更時機に変速機構５に作用させる入力トルクの変更が可能となり、変速の遅延や変速フィールへの影響を低減することができる。
【００６４】
また、本ハイブリッド駆動装置（１）は、
前記変更前時機（ｔ１４）は、前記回転電機（ＭＧ）によって前記変更量（ｄｅＴｒ）の駆動力の変更が可能である場合に前記回転電機（ＭＧ）の駆動力を変更する変更時機（ｔ１４）よりも、前記エンジン（２）が駆動力の変更に必要な時間（ＴＡ）の分、前である。
【００６５】
これにより、エンジン２によって変速機構５に作用させる入力トルクの変更が、演算した入力トルク変更時機になるようにすることができる。
【００６６】
また、本ハイブリッド駆動装置（１）は、
前記制御部（３１）は、前記変速機構（５）の変速制御中に、前記回転電機（ＭＧ）によって前記変更量（ｄｅＴｒ）の駆動力の変更が可能であるか否かを随時演算し、前記変更前時機（ｔ１４）に、前記回転電機（ＭＧ）によって前記変更量（ｄｅＴｒ）の駆動力の変更が不能であることを判断する。
【００６７】
これにより、モータＭＧによって入力トルク変更量ｄｅＴｒのトルク変更が可能であるか否か、つまりモータトルク変更可能量を演算して入力トルク変更量より小さいか否かを随時演算しているので、エンジントルク変更時機に、モータＭＧによって入力トルク変更量ｄｅＴｒの変更が不能であることを判断することができ、つまり入力トルク変更時機よりも前のエンジントルク変更時機にエンジン２にエンジントルク信号の変更を出力することを可能とすることができる。
【００６８】
また、本ハイブリッド駆動装置（１）は、
前記制御部は、前記エンジンが駆動力の変更を行う場合の種類を判断し、前記種類によって前記変更前時機（ｔ１４）を異ならせる。
【００６９】
これにより、エンジン２のトルク変更を行う種類によってエンジントルク変更時機を異ならせることで、エンジン２のトルク変更をどのように行ってもエンジントルクの実際の変更が入力トルク変更時機となるように合わせることができる。
【００７０】
そして、本ハイブリッド駆動装置（１）は、
前記変速機構（５）は、歯車機構（ＤＰ、ＰＵ）と、前記歯車機構（ＤＰ、ＰＵ）の伝達経路を変更する複数の摩擦係合要素（Ｃ１，Ｃ２，Ｃ３，Ｂ１，Ｂ２）と、を有し、前記複数の摩擦係合要素（Ｃ１，Ｃ２，Ｃ３，Ｂ１，Ｂ２）のうちの少なくとも２つを掴み換えることで前記変速制御を実行し、
前記変更時機（ｔ１５）は、前記変速制御における回転変化が生じるイナーシャ相の開始時であり、
前記変更前時機（ｔ１４）は、前記イナーシャ相の開始前である。
【００７１】
これにより、変速機構５の変速制御中において発生するイナーシャトルクを、エンジン２のトルク変更によって遅延することなく吸収することができる。
【００７２】
［他の実施の形態の可能性］
なお、以上説明した本実施の形態においては、ハイブリッド駆動装置として、エンジン２とモータＭＧとの駆動回転を変速機構５で変速する、いわゆるパラレル式のハイブリッド駆動装置１を一例に説明したが、これに限らず、エンジンの駆動回転を入力回転として変速を行う変速機構とモータにより変速機構に作用させるトルクのトルク変更が可能なハイブリッド駆動装置であれば、どのようなハイブリッド駆動装置であってもよい。例えばモータは変速機構の出力軸に駆動連結されているような構成であっても構わず、特にモータを２つ以上備えているような構成であってエンジンとモータとの出力回転を変速し、他のモータで変速機構の出力軸のトルク変更を行うような構成でも構わない。
【００７３】
また、本実施の形態においては、ＴＣＵ３１がエンジン２やモータＭＧの出力トルクを変更する際に、エンジントルクとモータトルクとを演算してエンジントルク信号Ｔｅｓｉｇ１やモータトルク信号Ｔｍｇｓｉｇ１を生成して出力するものを説明したが、これに限らず、例えばＴＣＵ３１からはエンジン２とモータＭＧとの合計のトルクを変更するようにＨＶ−ＥＣＵ６０に指令し、ＨＶ−ＥＣＵ６０でエンジントルクとモータトルクとを演算してエンジントルク信号やモータトルク信号を生成して出力するものであってもよい。
【００７４】
また、本実施の形態においては、エンジン２がトルクの変更に必要な時間ＴＡの分、モータＭＧにより駆動力の変更を行う場合よりも前にエンジン２にエンジントルク信号Ｔｅｓｉｇを出力するものを説明したが、これに限らず、エンジントルク信号ＴｅｓｉｇをモータＭＧにより駆動力の変更を行う場合よりも僅かでも前に出力できれば、僅かでも変速の遅延や変速フィールへの影響を低減することができる。
【００７５】
また、本実施の形態においては、トルクリダクションやトルクインクリースをモータとエンジンとで共働して行うことも可能なものを説明したが、モータだけでトルクリダクションやトルクインクリースができない場合にエンジンだけに切り替えてトルクリダクションやトルクインクリースを実行するようなものでもよい。
【００７６】
また、本実施の形態においては、モータ状態に基づきモータトルク変更可能量を随時演算するものについて説明したが、これに限らず、変速の開始時（変速判断時）に、モータによるトルク変更を実行するか、エンジンによるトルク変更を実行するか、或いはモータとエンジンとの共働によりトルク変更を実行するかを先に決定して、変速制御中に実行するようにしても構わない。
【００７７】
また、本実施の形態においては、変速判断があってからモータ状態に基づきモータトルク変更可能量を演算するものについて説明したが、ハイブリッド車両にあっては、通常の走行中に随時バッテリの状態やモータの状態を監視して、エンジンとモータとの駆動力の配分を演算しているため、それらの情報に基づき、変速の開始とは無関係にモータトルク変更可能量を演算しておくことが考えられる。
【００７８】
また、本実施の形態においては、変速機構５が有段式の変速機構であり、摩擦係合要素の掴み換え変速におけるイナーシャ相でトルクリダクションやトルクインクリースを行うものとして説明したが、これに限らず、無段式の変速機構にあっても変速に応じて発生するイナーシャトルクを吸収するようにトルク変更を行うものであってよく、さらに、イナーシャトルクに限らず、変速ショックやエンジン吹きを抑えるためにトルクリダクションやトルクインクリースを行うものであっても構わない。
【産業上の利用可能性】
【００７９】
本ハイブリッド駆動装置は、車両に搭載されるハイブリッド駆動装置に用いることが可能であり、特に回転電機によって変更量の駆動力の変更が不能である場合にあっても、変速の遅延を防止したり変速フィールに影響を招くことを防止したりすることが求められるものに用いて好適である。
【符号の説明】
【００８０】
１…ハイブリッド駆動装置
２…エンジン
５…変速機構
９…車輪
１２…入力部材（入力軸）
１５…出力部材（出力軸）
３１…制御部、第１制御部（ＴＣＵ）
６０…第４制御部（ＨＶ−ＥＣＵ）
７０…第２制御部（ＭＣＵ）
８０…第３制御部（ＥＣＵ）
ＭＧ…回転電機（モータ）
ＴＡ…必要な時間
ｔ１４…変更前時機
ｔ１５…変更時機
ｄｅＴｒ…変更量（入力トルク変更量）
ＤＰ…歯車機構（プラネタリギヤ）
ＰＵ…歯車機構（プラネタリギヤユニット）
Ｃ１…摩擦係合要素（第１クラッチ）
Ｃ２…摩擦係合要素（第２クラッチ）
Ｃ３…摩擦係合要素（第３クラッチ）
Ｂ１…摩擦係合要素（第１ブレーキ）
Ｂ２…摩擦係合要素（第２ブレーキ）
ＥＧｃｄ…エンジン駆動信号（エンジンコマンド信号）
ＭＧｃｄ…回転電機駆動信号（モータコマンド信号）
Ｔｅｓｉｇ１…エンジン指令信号、第１エンジン指令信号（エンジントルク信号）
Ｔｅｓｉｇ２…第２エンジン指令信号（エンジントルク信号）
Ｔｍｇｓｉｇ１…回転電機指令信号、第１回転電機指令信号（モータトルク信号）
Ｔｍｇｓｉｇ２…第２回転電機指令信号（モータトルク信号）
【図１】
2020203706.tif 000003
【図２】
2020203706.tif 000004
【図３】
2020203706.tif 000005
【図４】
2020203706.tif 000006
【図５】
2020203706.tif 000007
【図６】
2020203706.tif 000008
【手続補正書】
【提出日】令和3年6月22日(2021.6.22)
【手続補正１】
【補正対象書類名】明細書
【補正対象項目名】００１４
【補正方法】変更
【補正の内容】
【００１４】
詳しくは後述する変速機構（Ｔ／Ｍ）５は、複数の摩擦係合要素（クラッチやブレーキ）の係合状態に基づき伝達経路を変更し、例えば前進６速段及び後進段を達成し得る変速機構からなる。また、変速機構５の出力軸１５にはプロペラシャフト８が駆動連結されており、プロペラシャフト８に出力された回転は、ディファレンシャル装置等を介して左右の車輪９に伝達される。
【手続補正２】
【補正対象書類名】明細書
【補正対象項目名】００１６
【補正方法】変更
【補正の内容】
【００１６】
以上のようなハイブリッド駆動装置１は、エンジン２側から車輪９側に向かって、クラッチＫ０、モータＭＧ、発進クラッチＷＳＣ、変速機構５が順次配置されており、エンジン２及びモータＭＧの両方、或いはエンジン２を駆動させて車両を走行させる場合には、制御部（ＴＣＵ）３１によって油圧制御装置４０を制御してクラッチＫ０及び発進クラッチＷＳＣを係合させ、モータＭＧの駆動力だけで走行するＥＶ走行時には、クラッチＫ０を解放して、エンジン２と車輪９との伝達経路を切り離すようになっている。
【手続補正３】
【補正対象書類名】明細書
【補正対象項目名】００１８
【補正方法】変更
【補正の内容】
【００１８】
プラネタリギヤＤＰのサンギヤＳ１は、ケース６に対して固定されており、また、キャリヤＣＲ１は、入力軸１２に接続されて、該入力軸１２と一体回転する。更に、リングギヤＲ１は、固定されたサンギヤＳ１と入力軸と回転するキャリヤＣＲ１とにより、入力回転が減速された減速回転になると共に、第１クラッチＣ１及び第３クラッチＣ３に接続されている。
【手続補正４】
【補正対象書類名】明細書
【補正対象項目名】００２２
【補正方法】変更
【補正の内容】
【００２２】
以上のように構成された変速機構５は、制御部（ＴＣＵ）３１の電気的な制御信号により、油圧制御装置４０で給排される油圧によって制御され、複数の摩擦係合要素としての第１クラッチＣ１〜第３クラッチＣ３及び第１ブレーキＢ１及び第２ブレーキＢ２が、図３の係合表に示す組み合わせで係脱されることにより、前進１速段（１ｓｔ）〜前進６速段（６ｔｈ）及び後進段（Ｒ）の変速比（ギヤ比）が達成される。なお、第２ブレーキＢ２は、前進１速段及び後進段で係合されると共にＮレンジで係合される。
【手続補正５】
【補正対象書類名】明細書
【補正対象項目名】００２８
【補正方法】変更
【補正の内容】
【００２８】
なお、図１に示すように、ＴＣＵ３１がモータＭＧの出力トルクを変更する際は、ＨＶ−ＥＣＵ６０に対してモータＭＧのトルクＴｍｇを演算して、第１回転電機指令信号としてモータトルク信号Ｔｍｇｓｉｇ１を出力し、それを受けてＨＶ−ＥＣＵ６０は、ＭＣＵ７０に第２回転電機指令信号としてモータトルク信号Ｔｍｇｓｉｇ２を出力し、ＭＣＵ７０は、モータＭＧに対する回転電機駆動信号としてモータコマンド信号ＭＧｃｄを出力して、モータＭＧが駆動制御される。なお、詳細にはモータコマンド信号は、ＰＷＭ制御を実行するドライブ回路（不図示）に出力され、ドライブ回路でモータコマンド信号に応じたモータトルクが出力されるパルス変調を行ってインバーター回路（不図示）を制御し、バッテリ５０の電力を用いてモータＭＧに電流を印加することになる。
【手続補正６】
【補正対象書類名】明細書
【補正対象項目名】００２９
【補正方法】変更
【補正の内容】
【００２９】
また、ＴＣＵ３１がエンジン２の出力トルクを変更する際は、ＨＶ−ＥＣＵ６０に対してエンジン２のトルクＴｅを演算して、第１エンジン指令信号としてエンジントルク信号Ｔｅｓｉｇ１を出力し、それを受けてＨＶ−ＥＣＵ６０は、ＥＣＵ８０に第２エンジン指令信号としてエンジントルク信号Ｔｅｓｉｇ２を出力し、ＥＣＵ８０は、エンジン２に対するエンジン駆動信号としてエンジンコマンド信号ＥＧｃｄを出力して、エンジン２が駆動制御される。なお、詳細にはエンジンコマンド信号は、エンジン２のインジェクターや点火プラグの制御信号であり、特にトルクリダクションを実行する際は、点火タイミングの遅角、スロットル開度信号の変更、気筒の休止、フューエルカットが行われることになる。
【手続補正７】
【補正対象書類名】明細書
【補正対象項目名】００３８
【補正方法】変更
【補正の内容】
【００３８】
一方、ステップＳ５において、ＴＣＵ３１が、モータトルク変更可能量が入力トルク変更量よりも小さいことを判定し（Ｓ５のＹＥＳ）、つまりモータＭＧで演算されたトルクリダクション量やトルクインクリース量のトルク変更が不能である（実行できない）と判断すると、まず、エンジン２によりトルク変更を行う変更量（以下、「エンジントルク変更量」という）を演算する（Ｓ１０）。このエンジントルク変更量は、上記入力トルク変更量から上記モータトルク変更可能量を減算することで演算され、つまりモータＭＧによるトルク変更を優先しつつエンジン２によるトルク変更を実行するための演算を行う。なお、モータ状態によって、モータＭＧのトルク変更が不能な場合は、エンジン２によるトルク変更だけを行うことになるため、この場合はエンジントルク変更量を入力トルク変更量と同じとなるように演算することになる。
【手続補正８】
【補正対象書類名】明細書
【補正対象項目名】００６７
【補正方法】変更
【補正の内容】
【００６７】
これにより、モータＭＧによって入力トルク変更量ｄｅＴｒのトルク変更が可能であるか否か、つまりモータトルク変更可能量を演算して入力トルク変更量より小さいか否かを随時演算しているので、エンジントルク変更時機に、モータＭＧによって入力トルク変更量ｄｅＴｒの変更が不能であることを判断することができ、つまり入力トルク変更時機よりも前のエンジントルク変更時機にエンジン２にエンジントルク信号を出力することを可能とすることができる。
【手続補正９】
【補正対象書類名】明細書
【補正対象項目名】００７４
【補正方法】変更
【補正の内容】
【００７４】
また、本実施の形態においては、エンジン２がトルクの変更に必要な時間ＴＡの分、モータＭＧにより駆動力の変更を行う場合よりも前にエンジン２にエンジントルク信号Ｔｅｓｉｇ１を出力するものを説明したが、これに限らず、エンジントルク信号Ｔｅｓｉｇ１をモータＭＧにより駆動力の変更を行う場合よりも僅かでも前に出力できれば、僅かでも変速の遅延や変速フィールへの影響を低減することができる。
【手続補正１０】
【補正対象書類名】図面
【補正対象項目名】図４
【補正方法】変更
【補正の内容】
【図４】
2020203706.tif 000009
【国際調査報告】
2020203706.tif 000010
2020203706.tif 000011
2020203706.tif 000012
2020203706.tif 000013